(57)【特許請求の範囲】
【請求項１】
自車両の前方を撮影した画像を取得する画像取得ユニット（３）と、
前記画像に基づき走行区画線を認識する認識ユニット（５）と、
道路の分岐位置を含む地図情報を記憶した地図情報記憶部から、前記地図情報を取得する地図情報取得ユニット（７）と、
自車両の位置情報を取得する位置情報取得ユニット（９）と、
前記地図情報と、前記位置情報取得ユニットが取得する自車両の位置情報とに基づき、自車両の地図上での位置を取得する地図上位置取得ユニット（１１）と、
前記地図情報に含まれる前記分岐位置よりもオフセット距離Ａだけ自車両側にある位置から、自車両の進行方向に、前記オフセット距離Ａよりも長い区間長Ｂにわたって継続する区間を設定する区間設定ユニット（１３）と、
前記地図上位置取得ユニットが取得した前記自車両の地図上での位置と、前記区間設定ユニットが設定した前記区間とに基づき、前記自車両の地図上での位置が前記区間内にあるか否かを判断する判断ユニット（１５）と、
前記地図上位置取得ユニットが取得する前記自車両の地図上での位置についての前後方向の精度を算出する精度算出ユニット（１７）と、
を備え、
前記認識ユニットは、前記自車両の地図上での位置が前記区間内にあると前記判断ユニットが判断した場合は、前記区間外にあると判断した場合に比べて、前記分岐位置で分岐する分岐路の側における走行区画線の認識を制限し、
前記区間設定ユニットは、前記精度が低いほど、前記区間長Ｂを長くすることを特徴とする走行区画線認識装置（１）。
【請求項２】
請求項１に記載の走行区画線認識装置であって、
前記制限とは、前記分岐路の側において前記走行区画線を認識しないことであることを特徴とする走行区画線認識装置。
【請求項３】
請求項１又は２に記載の走行区画線認識装置であって、
前記区間設定ユニットは、前記精度が低いほど、前記オフセット距離Ａを長くすることを特徴とする走行区画線認識装置。
【請求項４】
請求項１〜３のいずれか１項に記載の走行区画線認識装置であって、
前記位置情報取得ユニットは、衛星測位システムを用いて自車両の位置情報を取得し、
前記精度算出ユニットは、自車両の位置情報を取得するときの可視衛星の数が少ないほど、前記精度を低く算出することを特徴とする走行区画線認識装置。
【請求項５】
請求項１〜４のいずれか１項に記載の走行区画線認識装置であって、
前記地図上位置取得ユニットは、マップマッチングを用いて前記自車両の地図上での位置を取得し、
前記精度算出ユニットは、自車両が最後に通過したカーブからの走行距離が長いほど、前記精度を低く算出することを特徴とする走行区画線認識装置。
【請求項６】
請求項１〜５のいずれか１項に記載の走行区画線認識装置であって、
自車両が走行中の道路と前記分岐路とが前記分岐位置において成す角度を前記地図情報に基づき取得する角度取得ユニット（１９）を備え、
前記区間設定ユニットは、前記角度が小さいほど、前記オフセット距離Ａ及び／又は前記区間長Ｂを長くすることを特徴とする走行区画線認識装置。
【発明の詳細な説明】
【技術分野】
【０００１】
本発明は走行区画線認識装置に関する。
【背景技術】
【０００２】
従来、車載カメラを用いて取得した画像において走行区画線（例えば白線）を認識し、認識した走行区画線に基づき、レーンキープアシスト（ＬＫＡ）、衝突回避支援（ＰＣＳ）等の走行支援を行う技術が知られている（特許文献１参照）。  
【先行技術文献】
【特許文献】
【０００３】
【特許文献１】特開平９−３５１９８号公報
【発明の概要】
【発明が解決しようとする課題】
【０００４】
従来の技術では、自車両が走行中の道路が前方で分岐している場合、分岐路の走行区画線を、自車両が走行中の道路における走行区画線として誤認識してしまうことがある。
本発明は、こうした問題にかんがみてなされたものであり、分岐に起因する走行区画線の誤認識を抑制できる走行区画線認識装置を提供することを目的としている。
【課題を解決するための手段】
【０００５】
本発明の走行区画線認識装置は、自車両の前方を撮影した画像を取得する画像取得ユニットと、画像に基づき走行区画線を認識する認識ユニットと、道路の分岐位置を含む地図情報を記憶した地図情報記憶部から、地図情報を取得する地図情報取得ユニットと、自車両の位置情報を取得する位置情報取得ユニットと、地図情報と、位置情報取得ユニットが取得する自車両の位置情報とに基づき、自車両の地図上での位置を取得する地図上位置取得ユニットと、地図情報に含まれる道路の分岐位置よりもオフセット距離Ａだけ自車両側にある位置から、自車両の進行方向に、区間長Ｂにわたって継続する区間を設定する区間設定ユニットと、地図上位置取得ユニットが取得した自車両の地図上での位置と、区間設定ユニットが設定した区間とに基づき、自車両の地図上での位置が区間内にあるか否かを判断する判断ユニットとを備える。
【０００６】
そして、本発明の走行区画線認識装置において、認識ユニットは、自車両の地図上での位置が区間内にあると判断ユニットが判断した場合は、区間外にあると判断した場合に比べて、分岐位置で分岐する分岐路の側における走行区画線の認識を制限する。
【０００７】
本発明の走行区画線認識装置は、分岐位置よりもオフセット距離Ａだけ自車両側にある位置から、自車両の進行方向に区間長Ｂにわたって継続する区間内では、分岐路の側において走行区画線の認識を制限する。そのことにより、分岐路の走行区画線を、自車両が走行中の道路における走行区画線であると誤認識してしまうことを抑制できる。
【図面の簡単な説明】
【０００８】
【図１】走行区画線認識装置１の構成を表すブロック図である。
【図２】走行区画線認識装置１が実行する処理の全体を表すフローチャートである。
【図３】走行区画線認識装置１が実行する、自車両の地図上での位置取得処理を表すフローチャートである。
【図４】走行区画線認識装置１が実行する、精度算出処理を表すフローチャートである。
【図５】走行距離Ｌを表す説明図である。
【図６】図６Ａは、角度θが小さい場合に設定された区間４６を表す説明図であり、図６Ｂは、角度θが大きい場合に設定された区間４６を表す説明図である。
【図７】走行区画線認識装置１が実行する、区間設定処理を表すフローチャートである。
【図８】図８Ａは、通常の走行区画線認識処理により認識された走行区画線４９、５１を表す説明図であり、図８Ｂは、分岐用の走行区画線認識処理の認識結果を表す説明図である。
【図９】分岐路の側における走行区画線の認識を制限する他の実施形態を表す説明図である。
【図１０】分岐路の側における走行区画線の認識を制限する他の実施形態を表す説明図である。
【発明を実施するための形態】
【０００９】
本発明の実施形態を図面に基づき説明する。
＜第１の実施形態＞
１．走行区画線認識装置１の構成
走行区画線認識装置１の構成を図１に基づき説明する。走行区画線認識装置１は、車両に搭載される車載装置である。以下では、走行区画線認識装置１を搭載する車両を自車両とする。走行区画線認識装置１は、ＣＰＵ、ＲＡＭ、ＲＯＭ等を備える公知のコンピュータであり、ＲＯＭに記憶されたプログラムにより後述する処理を実行する。
【００１０】
走行区画線認識装置１は、機能的に、画像取得ユニット３、認識ユニット５、地図情報取得ユニット７、位置情報取得ユニット９、地図上位置取得ユニット１１、区間設定ユニット１３、判断ユニット１５、精度算出ユニット１７、及び角度取得ユニット１９を備える。各ユニットの機能は後述する。
【００１１】
自車両は、走行区画線認識装置１に加えて、カメラ２１、ＧＰＳ２３、地図情報記憶部２５、車速センサ２７、ヨーレートセンサ２９、車両制御装置３１、及び警報装置３３を備える。カメラ２１は、自車両の前方を撮影し、画像を作成する。カメラ２１の画角には、自車両前方の路面が含まれる。
【００１２】
ＧＰＳ２３は、自車両の位置情報を取得する。この位置情報は、地球を基準とする絶対座標で規定される位置情報である。ＧＰＳ２３は、衛星測位システムの一例である。地図情報記憶部２５は地図情報を記憶している。その地図情報は、道路の分岐位置の情報を含んでいる。車速センサ２７は自車両の車速を検出する。ヨーレートセンサ２９は自車両のヨーレートを検出する。
【００１３】
車両制御装置３１は、走行区画線認識装置１が認識した走行区画線を用いて運転支援処理を行う。運転支援処理としては、公知のレーンキープアシスト（ＬＫＡ）、衝突回避支援（ＰＣＳ）等が挙げられる。
【００１４】
警報装置３３は、走行区画線認識装置１が認識した走行区画線を自車両が逸脱すると判断した場合、音声、画像等により、自車両のドライバに対し警報を行う。
２．走行区画線認識装置１が実行する処理
走行区画線認識装置１が実行する処理を図２〜図８に基づき説明する。図２のステップ１では、画像取得ユニット３が、カメラ２１を用いて画像を取得する。
【００１５】
ステップ２では、自車両の地図上での位置を取得する。この処理を、図３に基づき説明する。図３のステップ１１では、衛星測位を行うタイミングに到達したか否かを位置情報取得ユニット９が判断する。衛星測位を行うタイミングとは、前回の衛星測位から、予め設定された時間が経過したタイミングである。衛星測位タイミングに到達した場合はステップ１２に進み、未だ到達していない場合はステップ１８に進む。
【００１６】
ステップ１２では、位置情報取得ユニット９がＧＰＳユニット２３を用いて衛星測位を行い、自車両の位置情報を取得する。
ステップ１３では、地図情報取得ユニット７が、地図情報記憶部２５から地図情報を取得する。
【００１７】
ステップ１４では、地図上位置取得ユニット１１が、前記ステップ１２で取得した自車両の位置情報と、前記ステップ１３で取得した地図情報とを照合して、自車両の地図上での位置を算出する。
【００１８】
一方、前記ステップ１１で否定判断した場合はステップ１８に進み、地図上位置取得ユニット１１が、過去に算出した自車両の地図上での位置を、車速センサ２７及びヨーレートセンサ２９の検出値を用いて、現時点での予測位置に更新する。
【００１９】
ステップ１５では、マップマッチングのタイミングに到達したか否かを地図上位置取得ユニット１１が判断する。マップマッチングのタイミングとは、前回のマップマッチングから、予め設定された時間が経過したタイミングである。マップマッチングのタイミングに到達している場合はステップ１６に進み、未だ到達していない場合はステップ１７に進む。
【００２０】
ステップ１６では、地図上位置取得ユニット１１がマップマッチングを行う。マップマッチングは、前記ステップ１４又は前記ステップ１８で算出した自車両の地図上での位置の履歴（自車両の地図上の走行軌跡）が道路上に重なるように、自車両の地図上での位置を補正する処理である。
【００２１】
ステップ１７では、自車両の地図上での位置を決定する。すなわち、前記ステップ１６のマップマッチングを実行した場合は、マップマッチング後の位置を、自車両の地図上での位置とする。一方、前記ステップ１６の処理を実行しなかった場合は、前記ステップ１４又は前記ステップ１８で算出した位置を、自車両の地図上での位置とする。
【００２２】
図２に戻り、ステップ３では、まず、地図情報取得ユニット７が、地図情報記憶部２５から地図情報を取得する。次に、地図上に、以下の条件Ｊ１及びＪ２を満たす分岐位置があるか否かを区間設定ユニット１３が判断する。
【００２３】
Ｊ１：前記ステップ２で取得した、自車両の地図上での位置の前方に分岐位置がある。
Ｊ２：自車両から分岐位置までの距離が予め設定された範囲内にある。
なお、分岐位置とは、図６Ａ、図６Ｂに示す分岐位置４５のように、地図情報において分岐の位置を表す位置情報である。
【００２４】
条件Ｊ１及びＪ２を満たす分岐位置がある場合はステップ４に進み、そのような分岐位置がない場合はステップ８に進む。  
ステップ４では、前記ステップ２で取得した、自車両の地図上での位置についての前後方向の精度（以下では前後方向精度とする）を精度算出ユニット１７が算出する。この前後方向精度とは、前記ステップ２取得した、自車両の地図上での位置が、自車両の前後方向について、どの程度正確であるかを表す指標である。前後方向精度を算出する処理を図４に基づき説明する。
【００２５】
図４のステップ２１では、最新のＧＰＳ測位（前記ステップ１２）において使用した可視衛星の数を取得する。
ステップ２２では、前記ステップ２１で取得した可視衛星の数に応じて精度パラメータＰ１を算出する。精度算出ユニット１７は、予め、可視衛星の数を入力すると、精度パラメータＰ１を出力するマップを備えており、そのマップを用いて精度パラメータＰ１を取得する。上記のマップは、可視衛星の数が少ないほど、精度パラメータＰ１の値を小さくする。Ｐ１は正の数である。
【００２６】
ステップ２３では、まず、図５に示す、自車両３５が最後に通過したカーブ３７からの走行距離Ｌを算出する。この走行距離Ｌは、自車両３５の地図上での位置の履歴３９を求め、その履歴３９において自車両３５が最後に通過したカーブ３７を認識し、そのカーブ３７から自車両３５の現在位置までの距離を走行距離Ｌとする方法で算出できる。
【００２７】
ステップ２４では、前記ステップ２３で取得した走行距離Ｌの長さに応じて精度パラメータＰ２を算出する。精度算出ユニット１７は、予め、走行距離Ｌを入力すると、精度パラメータＰ２を出力するマップを備えており、そのマップを用いて精度パラメータＰ２を取得する。上記のマップは、走行距離Ｌが長いほど、精度パラメータＰ２の値を小さくする。Ｐ２は正の数である。
【００２８】
ステップ２５では、前記ステップ２２で算出した精度パラメータＰ１と、前記ステップ２４で算出した精度パラメータＰ２とを乗算して、最終的な前後方向精度パラメータＰを算出する。前後方向精度パラメータＰは、前後方向精度の高さを表す指標である。前後方向精度パラメータＰが大きいほど、前後方向精度は高い。前後方向精度パラメータＰは、最新のＧＰＳ測位（前記ステップ１２）において使用した可視衛星の数が少ないほど、小さい。また、前後方向精度パラメータＰは、走行距離Ｌが長いほど、小さい。
【００２９】
図２に戻り、ステップ５では、角度取得ユニット１９が、地図情報記憶部２５に記憶された地図情報から、角度θを取得する。この角度θとは、図６Ａ、図６Ｂに示すように、自車両３５が走行中の道路４１における中心線４２と分岐路４３の中心線４４とが分岐位置４５において成す角度である。なお、分岐路４３とは、分岐位置４５において、自車両３５が走行中の道路４１から分岐する道路である。
【００３０】
ステップ６では、区間設定ユニット１３が区間を設定する。この処理を、図７に基づき説明する。
図７のステップ３１では、オフセット距離Ａを決定する。オフセット距離Ａとは、後述する区間４６が自車両３５の側で始まる位置から、分岐位置４５までの距離を意味する。区間設定ユニット１３は、予め、前記ステップ４で算出した前後方向精度パラメータＰと、前記ステップ５で取得した角度θとを入力すると、オフセット距離Ａを出力するマップを備えており、そのマップを用いてオフセット距離Ａを決定する。上記のマップは、前後方向精度パラメータＰが小さいほど、オフセット距離Ａを長くする。また、上記のマップは、角度θが小さいほど、オフセット距離Ａを長くする。
【００３１】
ステップ３２では、区間長Ｂを決定する。区間設定ユニット１３は、予め、前記ステップ４で算出した前後方向精度パラメータＰと、前記ステップ５で取得した角度θとを入力すると、区間長Ｂを出力するマップを備えており、そのマップを用いて区間長Ｂを決定する。上記のマップは、前後方向精度パラメータＰが小さいほど、区間長Ｂを長くする。また、上記のマップは、角度θが小さいほど、区間長Ｂを長くする。
【００３２】
ステップ３３では、前記ステップ３１で決定したオフセット距離Ａ、及び前記ステップ３２で決定した区間長Ｂを用いて、区間を設定する。図６Ａ、図６Ｂに示すように、この区間４６とは、分岐位置４５よりもオフセット距離Ａだけ自車両３５側にある線４７点を始点とし、自車両の進行方向（図６Ａ、図６Ｂでの上方向）に、区間長Ｂにわたって継続する区間である。
【００３３】
図２に戻り、ステップ７では、前記ステップ２で取得した自車両の地図上での位置が、前記ステップ６で設定した区間内であるか否かを判断ユニット１５が判断する。区間外である場合はステップ８に進み、区間内である場合はステップ９に進む。
【００３４】
ステップ８では、認識ユニット５が、通常の走行区画線認識処理を以下の手順で行う。
（エッジ点の抽出）
認識ユニット５は、前記ステップ１で取得した画像からエッジ点を抽出する。具体的には、まず、画像において水平ライン（縦方向の座標値が全て等しい全ての画素）ごとに、微分フィルタを使用して微分値を算出する。つまり、水平ラインを構成する複数の画素において、隣接する画素間における輝度値の変化率を算出する。
【００３５】
次に、算出した微分値が、所定の上限値以上であるか否かを判定し、微分値が上限値以上であれば隣接する画素間で輝度値が大きく変化したものとして、その画素の座標値をエッジ点として抽出し、登録する。画像中の全ての画素について上記の処理を実行する。
（走行区画線候補の抽出）
認識ユニット５は、上記のように抽出したエッジ点に基づき、走行区画線候補を抽出する。走行区画線候補の抽出は、周知の直線抽出ハフ（Hough）変換処理等により行うことができる。なお、走行区画線候補は、１フレームの画像において複数検出される場合もある。
（走行区画線らしさ（尤度）の算出）
認識ユニット５は、上記のように抽出した走行区画線候補の走行区画線らしさ（尤度）を算出する。走行区画線らしさは、周知の方法で算出することができる。例えば、走行区画線候補を構成するエッジ点の数、走行区画線候補の形状、走行区画線候補の他の物体に対する相対的な位置等の各項目について、それぞれ、走行区画線候補らしさの値を算出し、それらを全て乗算した値を、最終的な走行区画線らしさとすることができる。
（走行区画線の認識）
認識ユニット５は、上記のように算出した走行区画線らしさと、予め設定された閾値とを比較する。走行区画線候補が複数ある場合は、それぞれの走行区画線候補について、走行区画線らしさと、閾値とを比較する。そして、走行区画線候補のうち、走行区画線らしさが閾値を超えるものを、走行区画線として認識する。
【００３６】
上記の通常の走行区画線認識処理では、分岐路４３の側（図６Ａ、図６Ｂにおける左方向）でも、その反対側に比べて、走行区画線の認識が制限されない。そのため、図８Ａに示すように、道路４１の両側において、走行区画線４９、５１を認識することが可能である。
【００３７】
ステップ９では、認識ユニット５が、分岐用の走行区画線認識処理を行う。その処理は基本的には前記ステップ８と同様であるが、分岐路の側における走行区画線の認識を制限する。具体的には、図８Ｂに示すように、自車両３５が走行中の道路４１において、区間４６内では、分岐路４３の側にある走行区画線４９を認識しない。
【００３８】
区間４６内で走行区画線４９を認識しないようにする方法は適宜設定できる。例えば、区間４６内ではエッジ点を抽出しないようにしてもよいし、区間４６内では走行区画線候補を抽出しないようにしてもよいし、区間４６内では走行区画線らしさを小さくしてもよいし、区間４６内では走行区画線らしさに関する閾値を高くしてもよい。
【００３９】
なお、分岐用の走行区画線認識処理においても、分岐路４３とは反対側においては、図８Ｂに示すように、前記ステップ８と同様に走行区画線５１を認識することができる。
図２に戻り、ステップ１０では、認識ユニット５が、前記ステップ８又は前記ステップ９で認識した走行区画線を、車両制御装置３１及び警報装置３３に出力する。
【００４０】
３．走行区画線認識装置１が奏する効果
（１Ａ）図６Ａ、図６Ｂに示すように、自車両３５の前方に分岐路４３があるとき、従来技術では、分岐路４３の走行区画線５３を、自車両３５が走行中の道路４１の走行区画線４９であると誤認識してしまうおそれがある。
【００４１】
走行区画線認識装置１は、分岐位置４５よりもオフセット距離Ａだけ自車両側にある線４７を起点とし、自車両の進行方向に区間長Ｂにわたって継続する区間４６を設定する。
そして、走行区画線認識装置１は、区間４６内では、分岐路４３の側において走行区画線４９の認識を制限する。そのことにより、走行区画線５３を、走行区画線４９であると誤認識してしまうことを抑制できる。
【００４２】
また、区間４６は、分岐位置４５よりもオフセット距離Ａだけ自車両３５側にある位置から始まる区間である。そのため、地図情報において分岐位置４５が不正確であったり、地図上での自車両３５の位置が不正確であったりする場合でも、走行区画線５３を、走行区画線４９であると誤認識してしまうことを抑制できる。
【００４３】
（１Ｂ）走行区画線認識装置１は、分岐路４３の側にある走行区画線４９を、区間４６内では認識しない。そのことにより、走行区画線５３を走行区画線４９であると誤認識してしまうことを一層抑制できる。
【００４４】
（１Ｃ）走行区画線認識装置１は、前後方向精度が低いほど、オフセット距離Ａを長くし、区間長Ｂを長くする。そのことにより、前後方向精度が低くても、区間４６により、走行区画線５３をカバーすることができる。その結果、走行区画線５３を走行区画線４９であると誤認識してしまうことを一層抑制できる。
【００４５】
（１Ｄ）走行区画線認識装置１は、可視衛星の数が少ないほど、前後方向精度を低く算出する。そのことにより、前後方向精度を正確且つ簡便に算出することができる。
（１Ｅ）自車両が直線を走行中であるとき、マッチマッピングにより、自車両の地図上での位置を前後方向について補正することは困難である。よって、走行距離Ｌが長いほど、前後方向精度は低くなり易い。走行区画線認識装置１は、走行距離Ｌが長いほど、前後方向精度を低く算出する。そのことにより、前後方向精度を正確且つ簡便に算出することができる。
【００４６】
（１Ｆ）角度θが小さいほど、地図情報における分岐位置４５は不正確になり易い。また、図６Ａに示すように、角度θが小さい場合、平行導入分岐の形式が採用され、走行区画線５３が通常よりも一層手前側で道路４１に接続する場合がある。
【００４７】
走行区画線認識装置１は、角度θが小さいほど、オフセット距離Ａ及び区間長Ｂを長くする。そのことにより、地図情報における分岐位置４５が不正確であったり、走行区画線５３が通常よりも一層手前側にあったりしても、区間４６により、道路４１の近傍にある走行区画線５３をカバーすることができる。その結果、走行区画線５３を走行区画線４９であると誤認識してしまうことを一層抑制できる。
＜その他の実施形態＞
以上、本発明の実施形態について説明したが、本発明は上記実施形態に限定されることなく、種々の形態を採り得る。
【００４８】
（１）分岐路の側における走行区画線の認識を制限する方法は他のものであってもよい。例えば、図９に示すように、区間４６よりも手前側で認識した、分岐路４３側にある走行区画線４９の外挿線５５を想定し、外挿線５５に対する角度がΦ以下である走行区画線に限り、走行区画線４９を認識するようにしてもよい。
【００４９】
また、図１０に示すように、区間４６内の分岐路４３側で複数の走行区画線候補５７、５９を抽出した場合は、最も、分岐路４３とは反対側（図１０における右側）にある走行区画線候補５７以外の走行区画線候補を、走行区画線として認識しないようにしてもよい。
【００５０】
また、走行区画線の認識アルゴリズム、又は走行区画線の認識における設定を変更することで、分岐路の側における走行区画線の認識を制限してもよい。例えば、分岐路の側では、その反対側に比べて、エッジ点として抽出する基準を厳しくしたり、走行区画線候補として抽出する基準を厳しくしたり、走行区画線らしさ（尤度）の値を低く抑えたり、走行区画線らしさに関する閾値を高くしたりすることで、分岐路の側における走行区画線の認識を制限してもよい。
【００５１】
分岐路の側における走行区画線の認識を制限するとは、分岐路の側にある走行区画線を全く認識しないことであってもよいし、自車両が区間４６外にあるときに比べて、分岐路の側にある走行区画線を相対的に認識しにくいということであってもよい。
【００５２】
（２）距離Ａ、及び区間長Ｂの一方又は両方は、固定値であってもよい。この場合、走行区画線認識装置１の処理負担を低減できる。
（３）前後方向精度は、可視衛星の数とは無関係に、走行距離Ｌに基づき算出してもよい。また、前後方向精度は、走行距離Ｌとは無関係に、可視衛星の数に基づき算出してもよい。
【００５３】
（４）オフセット距離Ａは、前後方向精度とは無関係に、角度θに基づき算出してもよい。また、オフセット距離Ａは、角度θとは無関係に、前後方向精度に基づき算出してもよい。
【００５４】
区間長Ｂは、前後方向精度とは無関係に、角度θに基づき算出してもよい。また、区間長Ｂは、角度θとは無関係に、前後方向精度に基づき算出してもよい。
（５）上記実施形態における１つの構成要素が有する機能を複数の構成要素として分散させたり、複数の構成要素が有する機能を１つの構成要素に統合させたりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００５５】
（６）上述した走行区画線認識装置の他、当該走行区画線認識装置を構成要素とするシステム、当該走行区画線認識装置としてコンピュータを機能させるためのプログラム、このプログラムを記録した媒体、走行区画線認識方法等、種々の形態で本発明を実現することもできる。
【符号の説明】
【００５６】
１…走行区画線認識装置、３…画像取得ユニット、５…認識ユニット、７…地図情報取得ユニット、９…位置情報取得ユニット、１１…地図上位置取得ユニット、１３…区間設定ユニット、１５…判断ユニット、１７…精度算出ユニット、１９…角度取得ユニット、２１…カメラ、２３…ＧＰＳユニット、２５…地図情報記憶部、２７…車速センサ、２９…ヨーレートセンサ、３１…車両制御装置、３３…警報装置、３５…自車両、３７…カーブ、３９…履歴、４１…道路、４２、４４…中心線、４３…分岐路、４６…区間、４９、５１、５３…走行区画線、５５…外挿線、５７、５９…走行区画線候補
【図１】
0006466811.tif 000002
【図２】
0006466811.tif 000003
【図３】
0006466811.tif 000004
【図４】
0006466811.tif 000005
【図５】
0006466811.tif 000006
【図６】
0006466811.tif 000007
【図７】
0006466811.tif 000008
【図８】
0006466811.tif 000009
【図９】
0006466811.tif 000010
【図１０】
0006466811.tif 000011